(57)【要約】【課題】パチンコ機のベース枠の機能を向上させる。【解決手段】ベース枠９のセット板１０には発射起点３０付近をその背後から透視する透視窓３３と、発射モータ４８を取付ける発射モータ取付け部３４と、打球機構５６を取付ける打球機構取付け部５５と、当てゴム６５を取付ける当てゴム取付け部６４とを形成する。発射球Ｈの監視が透視窓３３によって可能となり、発射モータ４８と打球杆５７と当てゴム６５とをセット板１０に取付けるときの位置合わせが不要となる。【選択図】図３
2006255447.tif 000002
【特許請求の範囲】
【請求項１】
遊技盤がセットされるベース枠の下部に形成されたセット板には遊技盤面へ打出される発射球が待機する発射起点付近をその背後から透視する透視窓を開設したことを特徴とするパチンコ機。
【請求項２】
前記セット板には発射モータが取付けられる発射モータ取付け部と、打球杆を回動可能に支持する軸受けが取付けられる打球機構取付け部と、打球杆が打球時に当接する当てゴムが取付けられる当てゴム取付け部とをそれぞれ一体状に突出形成したことを特徴とする請求項１記載のパチンコ機。
【請求項３】
前記発射モータ取付け部には前記発射起点から発射モータの取付け面の前側へ転り落ちたこぼれ球を通過させるこぼれ球通し口を開設したことを特徴とする請求項２記載のパチンコ機。
【請求項４】
前記発射モータ取付け部付近には打球杆がスプリングの弾発力に抗して反発射起点側へ搖動したときに打球杆の進入を可能にする空隙を形成したことを特徴とする請求項２または請求項３記載のパチンコ機。
【発明の詳細な説明】
【技術分野】
【０００１】
この発明はパチンコ機に関し、とくに遊技盤が内部にセットされるベース枠の構造に関する。
【背景技術】
【０００２】
従来の技術としては例えば特開平３−２９５５７８号公報がある。この公報には遊技盤収納フレーム部分と、発射レールおよび溢れ球・ファール球受樋が取付けられるベース部分とが一体に成形されたフレームベースの裏側に、賞球排出系統を構成する各種部品がユニット化されて取り付けられたパチンコ機が開示されている。
【特許文献１】特開平３−２９５５７８号公報
【発明の開示】
【発明が解決しようとする課題】
【０００３】
本発明はパチンコ機のベース枠の機能を向上させることを課題とするものである。
【課題を解決するための手段】
【０００４】
請求項１のパチンコ機は、遊技盤がセットされるベース枠の下部に形成されたセット板には遊技盤面へ打出される発射球が待機する発射起点付近をその背後から透視する透視窓を開設した構成を有する。
【０００５】
請求項２のパチンコ機は、前記セット板には発射モータが取付けられる発射モータ取付け部と、打球杆を回動可能に支持する軸受けが取付けられる打球機構取付け部と、打球杆が打球時に当接する当てゴムが取付けられる当てゴム取付け部とをそれぞれ一体状に突出形成した構成を有する。
【０００６】
請求項３のパチンコ機は、前記発射モータ取付け部には前記発射起点から発射モータの取付け面の前側へ転り落ちたこぼれ球を通過させるこぼれ球通し口を開設した構成を有する。
【０００７】
請求項４のパチンコ機は、前記発射モータ取付け部付近には打球杆がスプリングの弾発力に抗して反発射起点側へ搖動したときに打球杆の進入を可能にする空隙を形成した構成を有する。
【０００８】
請求項１のパチンコ機では、遊技盤面へ打出される発射球が待機する発射起点付近をセット板に開設した透視窓を通じてその背後から透視し、発射起点付近での異常の有無を監視する。
【０００９】
請求項２のパチンコ機では、発射モータ、打球杆、当てゴムがセット板の所定位置にそれぞれ位置決めして取付けられる。
【００１０】
請求項３のパチンコ機では、発射起点から転り落ちたこぼれ球が発射モータの取付け面の前側に滞留せずに発射モータ取付け面のこぼれ球通し口を通り抜けて落下する。
【００１１】
請求項４のパチンコ機では、打球杆が反発射起点側の搖動端へ搖動したときに打球杆の一部が前記空隙内へ進入し、打球杆の反発射起点側の搖動端位置から発射起点までの距離が前記空隙によって延長される。
【発明の効果】
【００１２】
請求項１によれば、発射起点付近をその後方から監視することができるので、発射起点での異常の有無や、発射球の待機状態や、発射球を打球杆によって衝打する状態等を一見して確認することができ、異常発生時にはその異常の原因を容易に見分けることができる。
【００１３】
請求項２によれば、発射モータ、打球機構、当てゴムをそれぞれ位置決めしてセット板に取付けることができるので、発射モータ、打球機構、当てゴムを個別に木枠に取付ける手数が不要となり、発射モータ、打球機構、当てゴムの集約的な組付け作業が可能となってパチンコの組立て作業を合理化することができるとともに、発射モータと打球機構とを位置合わせする手数や、打球杆と当てゴムとを位置合わせする手数が不要となり、打球機構を、発射モータとの相対位置および当てゴムとの相対位置を常に適正化した状態で設置することができる。
【００１４】
請求項３によれば、発射モータ取付け部にこぼれ球通し口を開設してあるので、発射起点から転り落ちたこぼれ球が発射モータの前側に滞留して発射装置の動きを阻害する不具合を無くすことができる。
【００１５】
請求項４によれば、打球杆の反発射起点側の搖動端位置から発射起点までの距離およびスプリングの最大伸長量を空隙によって延長することができるので、弾発力が小さいスプリングを使用しても適切な打球強さを確保することができる。
【発明を実施するための最良の形態】
【００１６】
次に、本発明の１実施例を図面にしたがって説明する。パチンコ機の木枠１は定位置に立設される角筒状の後枠部１ａと、この後枠部１ａにヒンジによって前方へ回動可能に結合されて後枠部１ａの前側に設置された方形枠状の前枠部１ｂとによって形成されている。
【００１７】
木枠１の前枠部１ｂの裏面には上部の第１部材９ａと下部の第２部材９ｂとが分離可能に結合されて形成された合成樹脂製のベース枠９がビスによって固定されている。
【００１８】
ベース枠９にはその下端部付近に配設されて木枠１の前枠部１ｂの下端部裏面に固定されたセット板１０と、このセット板１０の上方に配設されて木枠１の前枠部１ｂの開口部とほぼ等しい形状の開口部が開口された枠体１１とが形成され、この枠体１１の開口部内には遊技盤１２が後方への取出し可能で前方への取出し不能に嵌め込まれている。
【００１９】
図２において、セット板１０の前面の一端付近にはセット板１０に取付けられて効果音等を発するスピーカー１７が内部に収容された円筒状のスピーカー収容部２１が突設され、このスピーカー収容部２１の上面にはスピーカー１７上へ転落したこぼれ球を両側方の斜め下方へ誘導する球受け面２１ａが円弧面状に形成されている。
【００２０】
セット板１０の前側にはセット板１０に結合されてスピーカー１７の前面およびその両側方をカバーするスピーカーカバー樋１８が設置されている。スピーカーカバー樋１８の内端付近には上面が先下り状に傾斜したファール球誘導部１８ａが形成され、このファール球誘導部１８ａと発射レール１５の先端部との間には遊技盤面へ打出されて逆流したファール球が通り抜けるファール球通し口１９が形成されている。
【００２１】
セット板１０の前面には内方へ先下り状に傾斜した状態でスピーカー収納部２１の下方に設置されて球受け面２１ａに衝突して転落したこぼれ球を内方へ案内する第１こぼれ球誘導片２２と、内方へ先下り状に傾斜した状態で発射レール１５の下方に設置されて、こぼれ球を内方へ誘導する第２こぼれ球誘導片２３とが一体状に突出形成されている。
【００２２】
セット板１０の前側にはこのセット板１０の前面に重ね合わされた発射レール取付け板３１とともにセット板１０にねじ止めされてパチンコ球を遊技盤面へ案内する発射レール１５が前上り状に傾斜して設置されている。
【００２３】
発射レール１５はほぼＭ形状の断面形状を有する金属製のレール本体１５ａと、このレール本体１５ａの両側板間に挟み込まれてレール本体１５を補強する合成樹脂製の補強部材１５ｂとによって形成され、発射レール１５の基端部上には遊技盤面へ打出される発射球Ｈが待機する発射起点３０が形成されている。
【００２４】
発射レール１５の基端部の斜め上方には発射起点３０で待機する発射球Ｈの転落を阻止する球止め片３２が設置されている。
【００２５】
セット板１０の一端部には発射レール１５の基端部の外方に配設されて発射起点３０付近をその背後から透視する透視窓３３が方形状に開設されている。
【００２６】
図３，図４において、セット板１０には透視窓３３の下方位置でセット板１０の裏面に連接されて後方へ突出され、正面形状が縦長のコ形状に形成された縦壁板３４ａと、水平状に形成された底壁板３４ｂとを有し、発射装置のうちの発射モータ４８が位置決めされて取付けられた発射モータ取付け部３４が一体状に形成されている。
【００２７】
発射モータ取付け部３４には発射モータ４８の本体部の前端面に形成された正方形状の取付け面４８ａの４つのコーナ部のうち、上外方のコーナ部と下外方のコーナ部と下内方のコーナ部との３つのコーナ部がねじ止めされた３つの棒状のねじ止め部３４ｃが形成され、取付け面４８ａの４つのコーナ部のうち上内方のコーナ部をねじ止めする部位にはねじ止め部が切除され、発射モータ４８の取付け面４８ａとセット板１０の裏面との間で発射モータ取付け部３４の縦壁板３４ａの内方には後記打球杆５７が反発射起点側の搖動端で進入する空隙３５が形成されている。
【００２８】
発射モータ取付け部３４の底壁板３４ｂには発射起点３０から発射モータ４８の取付け面４８ａの前側へ転り落ちたこぼれ球を通過させて木枠１の後枠部１ａの下枠板上へ落下させるこぼれ球通し口３６が底壁板４９ｂの内端付近から外端付近にわたって開設されている。
【００２９】
発射モータ４８の前方には遊技者によって回動操作されるハンドルのハンドル軸に共転可能に結合された係動カム３７と、この係動カム３７に当接されたカムフォロア３８ａが結合されて下端部を搖動支点として内外方向へ搖動する搖動片３８とが隣り合って設置されている。
【００３０】
セット板１０には係動カム３７が回動可能に支持された係動カム取付け部３９が突設されるとともに、セット板１０の裏面には係動カム３７および搖動片３８をカバーするカバー板４０がねじ止めされている。
【００３１】
セット板１０には木枠１の前枠部１ｂの下端に貫設された位置決め孔４１内に挿入され、打球機構５６が位置決めされて取付けられる円筒状の打球機構取付け部５５が一体状に突出形成されている。
【００３２】
打球機構５６は発射起点３０側およびその反対側へ円弧移動して発射球Ｈを叩打するハンマ部５７ａが上端に形成された打球杆５７と、この打球杆５７の下部に結合された取付け板５８と、打球杆５７および取付け板５８の下部に結合されて水平状に設置された支軸５９と、この支軸５９を介して打球杆５７を回動可能に支持する軸受け６０とを備え、取付け板５８には発射モータ４８の出力軸に固定された発射カム６３によって押動されて斜め下方へ円弧移動するカムフォロア６１と、スプリング掛止ローラ６２とが取付けられている。
【００３３】
打球機構５６は軸受け６０が打球機構取付け部５５内に嵌め込まれて打球機構取付け部によって位置決めされた状態で打球機構取付け部５５に取付けられている。
【００３４】
発射カム６３が回転すると、カムフォロア６１が発射カム６３によって押下げられて打球杆５７の上部が反発射起点側へ搖動してから、発射起点３０側へ復帰搖動し、この復帰搖動時に発射起点３０の発射球Ｈがハンマ部５７ａによって叩打される。
【００３５】
打球杆５７が反発射起点側へ搖動したときに、打球杆５７の一部が空隙３５内へ進入して発射モータ取付け部３４の縦壁板３４ａの上端面に当接するまで反発射起点側への打球杆５７の搖動動作が空隙３５によって許容される。
【００３６】
従って、打球杆５７が反発射起点側の搖動端へ搖動したときの打球杆５７の傾倒角度が空隙３５によって大きくなって打球杆５７の反発射起点側の搖動端位置から発射起点３０側の搖動端位置までの距離が延長され、本例では約４５°以上の搖動角度範囲にわたる打球杆５７の往復搖動動作が可能となる。
【００３７】
セット板１０の裏面には打球機構取付け部５５の上方および下方に配設された円柱状の挿入片６４ａと、この挿入片６４ａを包囲した状態で挿入片６４ａを中心として円弧状に湾曲した上下１対の把持壁６４ｂとをそれぞれ有する上下１対の当てゴム取付け部６４が打球杆５７の中央部および下端部に対向してそれぞれ一体状に突出形成されている。
【００３８】
打球時に打球杆５７を受止めて打球杆５７が発射起点３０の発射球Ｈを打出す位置を規定する上下１対の当てゴム６５は弾性材によってリング状に形成され、この両当てゴム６５はそのセンタ孔内に当てゴム取付け部６４の挿入片６４ａが挿入されて当てゴム６５のうち、打球杆５７に対向して露出された露出部６５ａを除く部位が挿入片６４ａと把持壁６４ｂとの間に挟み込まれた状態で、それぞれ当てゴム取付け部６４に位置決めされて取付けられている。
【００３９】
両当てゴム取付け部６４の挿入片６４ａには当てゴム６５の後側面に押しつけられた当てゴム押え６６が、この当てゴム押え６６を貫通して挿入片６４ａにねじ込まれた押圧ねじ６７によってそれぞれ結合されている。
【００４０】
押圧ねじ６７を螺進させて当てゴム６５を当てゴム押え６６によって背後から押圧すると、当てゴム６５のうちの露出部６５ａが集中的に圧縮変形して打球杆５７側へ膨出する。押圧ねじ６７のねじ込む深さを調整すると、露出部６５ａの膨出量が増減して露出部６５ａの打球杆５７側の端面が打球杆５７側若しくはその反対側へ変位するので、打球杆５７が発射球を叩打して当てゴム６５に当接する位置を押圧ねじ６７によって微調整することができる。
【００４１】
セット板１０の裏側には図３、図６、図７、図９に示すように打球杆５７が発射起点３０側へ復帰搖動するときの戻り速さを調整して打球杆５７が発射起点３０の発射球Ｈを叩打するときの打球強さを調整する打球強さ調整機構が設置されている。
【００４２】
打球強さ調整機構において、回動操作によって打球強さを調整および設定する調整つまみ７０は、ほぼ円筒状に形成され、この調整つまみ７０の前端にはカム７１がフランジ状に突出形成され、このカム７１の外端縁にはカム７１の中心からの距離が段階的に変化するようにそれぞれ凹設されて周方向へ等間隔で配列された９個の係止凹部７１ａが形成されている。
【００４３】
調整つまみ７０はセット板１０の裏面に突設された円筒状のつまみ取付け部４２の後部が調整つまみ７０の前部内に挿入された状態でつまみ取付け部４２に位置決めされて取付けられ、この調整つまみ７０の外周面の後部には指針溝７０ｂが前後方向に沿って凹設されている。
【００４４】
調整つまみ７０の前側にはつまみ取付け部４２が挿通された横長楕円孔状の挿通孔７２ａを有し、セット板１０の裏面に当接された摺動板７２が設置されている。
【００４５】
摺動板７２の内端部にはセット板１０に貫設された横長楕円孔状の第１ガイド孔４３に係合された凸部７２ｂが突設され、また、摺動板７２の内端部には調整カム７０のカム７１の係止凹部７１ａに択一的に係合するカムフォロア７３がピン５１によって回転動作可能に結合され、調整つまみ７０を回動すると、カムフォロア７３が各係止凹部７１ａに順次係合して内外方向へ摺動板７２とともに段階的に変位する。
【００４６】
摺動板７２の外端部にはセット板１０に貫設された横長楕円孔状の第２ガイド孔４４に係合された凸部７４ａを有する連結リンク７４が凸部７４ａに貫挿されたピン５２によって搖動動作可能に結合され、この連結リンク７４の下端部と前記搖動片３８の上端部とは水平状の連継杆７５によって連動可能に連結されている。
【００４７】
連結リンク７４の上端部は調整つまみ７０の上方に水平状に設置されたスプリング受け７６の先端部にピン５３によって連結され、このスプリング受け７６の基端部の後側面には掛止片７６ａが突設され、スプリング受け７６の基端部の前面にはセット板１０に貫設された横長状のガイド溝４５に水平方向へのスライド可能に係合されたスライダ７６ｂがねじ止めされている。
【００４８】
スプリング受け７６の掛止片７６ａと、打球杆５７のスプリング掛止ローラ６２とには打球杆５７をその搖動支点の上方位置で内方へ常時付勢するコイルスプリング７７の両端部が掛止されている。
【００４９】
セット板１０の裏面には横長状のカバー板７８がねじ止めされ、このカバー板７８の外端付近には調整つまみ７０が貫挿された通し孔７８ｂを有する目盛表示部７８ａが垂直状に形成され、この目盛表示部７８ａの後面にはカム７１の各係止凹部７１ａがカムフォロア７３に係合する位置にそれぞれ対応するように通し孔７８ｂの上側孔縁に沿って配列された９個の小突起状の目盛７８ｃと、各目盛７８ｃの外方にそれぞれ配設されてコイルスプリング７７の弾発力の強さを示す数字７８ｄと、通し孔７８ｂの両側に配設された強、弱の文字７８ｅとが凸設されている。
【００５０】
調整つまみ７０を回動操作すると、カム７１の各係止凹部７１ａがカムフォロア７３に順次係合して調整つまみ７０の指針溝７０ｂが各目盛７８ｃおよび各数字７８ｄを順に指示し、調整つまみ７０が強の文字７８ｅが表示されている方向へ回動すると、カムフォロア７３がカム７１によって内方へ段階的に押動されて摺動板７２が内方へ段階的に変位し、連結リンク７４の搖動板７２が内方へ段階的に変位し、連結リンク７４の搖動支点が内方へ変位してスプリング受け７６が反打球杆側へ段階的に移動し、コイルスプリング７７が徐々に伸張して打球杆５７を引張る強さおよび打球杆５７による打球強さが漸次増強される。
【００５１】
カバー板７８には目盛表示部７８ａの内方に隣設されてコンデンサが収納されたコンデンサ収納部４６が形成されている。
【００５２】
カバー板７８の目盛表示部７８ａの上外端にはコイルスプリング７の一部に当接されてコイルスプリング７７の振動を防止する防振ローラ７９が回転可能に軸支されている。
【００５３】
続いて、上記した構成を有する実施例の作用と効果を説明する。本例では遊技盤１２がセットされるベース枠９の下部に形成されたセット板１０には遊技盤面へ打出される発射球Ｈが待機する発射起点３０付近をその背後から透視する透視窓３３を開設し、セット板１０には発射モータ４８が取付けられる発射モータ取付け部３４と、打球杆５７を回動可能に支持する軸受け６０が取付けられる打球機構取付け部３１と、打球杆５７が打球時に当接する当てゴム６５が取付けられる当てゴム取付け部６４とをそれぞれ一体状に突出形成し、発射モータ取付け部３４には発射起点３０から発射モータ４８の取付け面４８ａの前側へ転り落ちたこぼれ球を通過させるこぼれ球通し口３６と、打球杆５７がコイルスプリング７７の弾発力に抗して反発射起点側へ搖動したときに打球杆５７の進入を可能にする空隙３５とを形成し、当てゴム取付け部６４には当てゴム６５に押し付けられてこの当てゴム６５を圧縮変形させる当てゴム押え６６を、当てゴム取付け部６４にねじ込まれて当てゴム６５の圧縮変形量を増減させる押圧ねじ６７によって結合してある。
【００５４】
本例では発射起点３０付近をその後方から監視することができるので、発射起点３０での異常の有無や、発射球Ｈの待機状態や、発射球Ｈを打球杆５７によって衝打する状態等を一見して確認することができ、異常発生時にはその異常の原因を容易に見分けることができる。
【００５５】
すなわち、遊技盤面に向けて弾発発射され、セット板１０の前面に設けられた発射レール１５上で球止め片３２によって転り落ちを阻止されて待機するパチンコ球をベース枠９の裏側から確認することができ、遊技盤面側で待機する発射球Ｈの状態を透視窓３３によってパチンコ機の裏側から一見して把握することが可能となる。
【００５６】
また、発射モータ４８、打球機構５６、当てゴム６５をそれぞれ位置決めしてセット板１０に取付けることができるので、発射モータ４８、打球機構５６、当てゴム６５を個別に木枠１に取付ける手数が不要となり、発射モータ４８、打球機構５６、当てゴム６５の集約的な組付け作業が可能となってパチンコの組立て作業を合理化することができるとともに、発射モータ４８と打球機構５６とを位置合わせする手数や、打球杆５７と当てゴム６５とを位置合わせする手数が不要となり、打球機構５６を、発射モータ４８との相対位置および当てゴム６５との相対位置を常に適正化した状態で設置することができる。
【００５７】
さらに、発射モータ取付け部３４にこぼれ球通し口３６を開設してあるので、発射起点３０から転り落ちたこぼれ球が発射モータ４８の前側に滞留して発射装置の動きが阻害されたり、打球障害が発生する不具合を無くすことができる。
【００５８】
また、打球杆５７の反発射起点側の搖動端位置から発射起点までの距離およびコイルスプリング７７の最大伸長量を空隙３５によって延長することができるので、弾発力が小さいコイルスプリング７７を使用しても適切な打球強さを確保することができる。
【００５９】
また、当てゴム６５の圧縮変形量を押圧ねじ６７によって増減させて当てゴム６５の打球杆５７側の端面の位置を変えることができるので、打球杆が発射球を叩打する位置を容易に微調整することができる。
【図面の簡単な説明】
【００６０】
【図１】本発明の１実施例を示すもので、パチンコ機の木枠およびベース枠の裏面図である。
【図２】ベース枠の下部付近の斜視図である。
【図３】発射装置付近の裏面図である。
【図４】図３のＸ１−Ｘ１線拡大断面図である。
【図５】図３のＸ２−Ｘ２線拡大断面図である。
【図６】図３のＸ３−Ｘ３線拡大断面図である。
【図７】図３のＸ４−Ｘ４線拡大断面図である。
【図８】図３のＸ５−Ｘ５線拡大断面図である。
【図９】打球強さ調整機構付近の分解斜視図である。
【符号の説明】
【００６１】
９  ベース枠
１０  セット板
３０  発射起点
３３  透視窓
３４  発射モータ取付け部
３６  こぼれ球通し口
４８  発射モータ
５５  打球機構取付け部
５６  打球機構
５７  打球杆
６０  軸受け
６４  当てゴム取付け部
６５  当てゴム
６６  当てゴム押え
６７  押圧ねじ
Ｈ  発射球
【図１】
2006255447.tif 000003
【図２】
2006255447.tif 000004
【図３】
2006255447.tif 000005
【図４】
2006255447.tif 000006
【図５】
2006255447.tif 000007
【図６】
2006255447.tif 000008
【図７】
2006255447.tif 000009
【図８】
2006255447.tif 000010
【図９】
2006255447.tif 000011
【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
遊技盤がセットされるベース枠の下部に形成されたセット板には遊技盤面へ打出される発射球が待機する発射起点付近をその背後から透視する透視窓を開設したことを特徴とするパチンコ機。